(57)【要約】【課題】芳香剤や消臭剤を所定の時間あるいは期間だけ揮散させ得る使い勝ってのよい芳香剤容器を提案する。【解決手段】芳香剤を内容物として収納する容器本体（１）と、この容器本体(１)の口部（１ａ）に配置され容器本体(１)内の内容物を含浸、揮散させる含浸体（３）と、容器本体（１）内の内容物を吸引するとともに吸引した内容物を該含浸体（３）へと送給する吸い上げ芯（４）とを備えた芳香剤容器において、前記容器本体(１)内に、前記吸い上げ芯(４)を取り囲んで垂下保持され、貫通孔（４ａ）を通して容器本体(１)内の内容物を一定量を貯留して貯留に係わる内容物のみを吸い上げ芯（４）を通して含浸体(３)へ送給する計量カップ（７）を設ける。【選択図】図１
2006149812.tif 000002
【特許請求の範囲】
【請求項１】
芳香剤を内容物として収納する容器本体と、この容器本体の口部に配置され容器本体内の内容物を含浸、揮散させる含浸体と、容器本体内の内容物を吸引するとともに吸引した内容物を該含浸体へと送給する吸い上げ芯とを備えた芳香剤容器であって、
前記容器本体内に、前記吸い上げ芯を取り囲んで垂下保持され、貫通孔を通して容器本体内の内容物を一定量を貯留して貯留に係わる内容物のみを吸い上げ芯を通して含浸体へ送給する計量カップを設けたことを特徴とする芳香剤容器。
【発明の詳細な説明】
【技術分野】
【０００１】
本発明は、芳香剤容器に関するものであり、容器本体内に収納されている芳香剤を一定時間あるいは一定期間だけ揮散させようとするものである。
【背景技術】
【０００２】
芳香剤や消臭剤を収納する容器は、容器の口部に含浸体が配置されており、吸い上げ芯によって吸い上げた内容物を該含浸体によって揮散させるようにしており、この点に関する先行技術としては、胴部上端から肩部を解して口頸部を起立させた容器体と、口頸部に嵌合させた嵌合筒から内向きにフランジを介して保持筒を適当長さ垂下するとともに、保持筒の内面に棒状吸湿材を抜け落ち不能に挿通させて、該棒状吸湿材の下端を容器体の底部まで垂下するとともに、上端を口頸部の上方まで起立し、又その保持筒の前面から係合突子を前方突出した吸上げ体と、係合突子の外面へ、上部に穿接した小透孔を抜け出し不能に嵌合させて吊り下げ、容器体底部まで揺動可能に垂下させた弾性揺動板と、容器体胴部の上端部外面に頂壁周縁から垂設した周壁の下端部を嵌着させ、頂壁および周壁の一方ないし双方に複数の芳香放出孔を穿設したキャップと、該キャップの周壁の上部内面に嵌合させた板状吸湿材とにて構成し、棒状吸湿材の上端面を板状吸湿材下面へ当接させた仕組みになる液体芳香剤容器が知られている（例えば、特許文献１参照）。
【０００３】
【特許文献１】特開２００１−１７８８１０号公報
【０００４】
ところで、上記のような従来の芳香剤容器は、一度セットした後は内容物が無くなるまで継続して内容物が揮散する仕組みになっており、例えば、ホテルの客室等、使用する必要に迫られた場合に限られた一定時間あるいは一定期間のみ芳香剤、消臭剤を揮散させる機能が求められる容器としては対応がなされていないのが現状であった。
【発明の開示】
【発明が解決しようとする課題】
【０００５】
本発明の課題は、容器内の内容物を一定時間あるいは一定期間のみ揮散させることができる新規な芳香剤容器を提案するところにある。
【課題を解決するための手段】
【０００６】
本発明は、芳香剤を内容物として収納する容器本体と、この容器本体の口部に配置され容器本体内の内容物を含浸、揮散させる含浸体と、容器本体内の内容物を吸引するとともに吸引した内容物を該含浸体へと送給する吸い上げ芯とを備えた芳香剤容器であって、
前記容器本体内に、前記吸い上げ芯を取り囲んで垂下保持され、貫通孔を通して容器本体内の内容物を一定量を貯留して貯留に係わる内容物のみを吸い上げ芯を通して含浸体へ送給する計量カップを設けたことを特徴とする芳香剤容器である。
【発明の効果】
【０００７】
容器内の内容物を計量カップに一定量だけ貯留し、貯留に係わる内容物のみを吸い上げ芯を通して含浸体へ送給するため、内容物の揮散量が制限されることとなり、一定時間あるいは一定期間のみの内容物の揮散が可能となる。
【発明を実施するための最良の形態】
【０００８】
以下、図面を用いて本発明をより具体的に説明する。
図１は本発明に従う芳香剤容器の実施の形態を示したものである。
【０００９】
図における番号１は芳香剤を内容物として収納する容器本体、２は容器本体１の口部１ａに着脱自在に配置されるベースである。このベース２には芳香放出口となる複数の開口部が形成された天板部２ａが周壁２ｂの上端にヒンジｈを介して連結されている。また、３はベース２の天板部２ａの下方に配置され容器本体１内の内容物を含浸、揮散させる含浸体、４は容器本体１内の内容物を吸引するとともに吸引した内容物を該含浸体３へと送給するための吸い上げ芯である。この吸い上げ芯４は容器本体１の口部１ａに配置されたホルダー５の中央開口部に懸垂支持されている。なお、ベース２は図示はしないが、含浸体３を内部にセットした後、ヒンジｈで連結された天板部２ａの揺動端をアンダーカット等の手段により係合保持する構成を採用することができる。
【００１０】
また、６は容器本体１を使用開始まで密封保持する中栓、そして７は容器本体１の内側で吸い上げ芯４を取り囲んで口部１ａにおいて垂下支持された計量カップである。この計量カップ７は上方周壁７ａがホルダー５のインナーリング５ａの内壁にアンダーカット係合して抜け出し不能に保持されており、また、その側壁には少なくとも１つの貫通孔７ｂが、さらに、その下方には半球形の計量部７ｃが形成されていて、図２（ａ）（ｂ）に示すように、容器本体１を一旦傾倒させ、次いで引き起こし一定量の内容物を貫通孔７ｂから計量カップ７内に流入させることで貯留することができるようになっている。
【００１１】
使用時には、容器本体１からベース２を一旦取り外し、さらに中栓６を取り外して吸い上げ芯４の上端と含浸体３とを接触させた状態とした後、再び容器本体１にベース２を装着させ、その後、図２（ａ）(ｂ)に示すように動作させて計量カップ７内に所定量の内容物を貯留させておく。そうすると貯留に係わる内容物のみが吸い上げ芯４を通して含浸体３に吸い上げられ、これにより限られた時間あるいは限られた期間だけ内容物が揮散することになる。
【００１２】
なお、含浸体３及び吸い上げ芯４としては、フェルト等の吸湿性の材料が適用され、その他の構成部材は適宜選択される合成樹脂が適用される。
【００１３】
また、計量カップ７は図示の例では、底部の計量部７ｃが半球形になっているものを示したが、該計量カップ７の形状はとくに限定されない。また、ベース２の天板２ａは前述の実施の形態では、ヒンジｈを介して周壁２ｂに一体成形されたものとして説明したが、天板２ａを周壁２ｂとは別体として含浸体３をセットした後、アンダーカット係合、螺合等の手段によって天板２ａを周壁２ｂに結合させてもよい。さらに、本発明では芳香剤を収納する容器として説明したが、含浸体３に染込ませて揮散させ得る消臭剤等にも適用できるのはいうまでもない。
【産業上の利用可能性】
【００１４】
一定時間あるいは一定期間だけ内容物を揮散させることが可能な使い勝ってのよい芳香剤容器が提供できる。
【図面の簡単な説明】
【００１５】
【図１】本発明に従う芳香剤容器の実施の形態を示した図である。
【図２】（ａ）（ｂ）は図１に示した容器の使用の仕方を説明した図である。
【符号の説明】
【００１６】
１  容器本体
１ａ  口部
２  ベース
２ａ  天板
２ｂ  周壁
３  含浸体
４  吸い上げ芯
５  ホルダー
６  中栓
７  計量カップ
７ａ  上方周壁
７ｂ  貫通孔
７ｃ  計量部
【図１】
2006149812.tif 000003
【図２】
2006149812.tif 000004